(57)【要約】【課題】プロセスデータ項目の追加／変更／削除などが発生しても、プロセス監視制御システムにおいては設定を特に変更する必要もなく、プロセスデータの伝送を可能にするプロセスデータ通信装置を得る。【解決手段】プロセスデータ通信装置１０は、プラント監視制御システムで使用するプロセスデータ１１の収集を行うプロセスデータ収集装置１２にプロセスデータネットワーク１３を介して接続されるとともに、他のプラント監視制御システム２４に向けてプロセスデータ１１を伝送するためのデータ伝送路４０に接続されており、プロセスデータ収集装置１２からプロセスデータネットワーク１３を介してプロセスデータ１１を受信するプロセスデータネットワーク受信処理部１０ａと、受信したプロセスデータ１１をデータ伝送路４０を介して送信するプロセスデータＬＡＮ送信処理部１０ｂとを備えている。【選択図】図２
2013105427.tif 000002
【特許請求の範囲】
【請求項１】
プラント監視制御システムで使用するプロセスデータの収集を行うプロセスデータ収集装置にプロセスデータネットワークを介して接続されるとともに、他のプラント監視制御システムに向けて前記プロセスデータを伝送するためのデータ伝送路に接続されたプロセスデータ通信装置であって、
前記プロセスデータ収集装置から前記プロセスデータネットワークを介して前記プロセスデータを受信する受信手段と、
前記受信手段により受信した前記プロセスデータを前記データ伝送路を介して送信する送信手段と
を備えたことを特徴とするプロセスデータ通信装置。
【請求項２】
前記データ伝送路を介して前記他のプラント監視制御システムで使用される第２のプロセスデータを受信する第２の受信手段と、
前記第２の受信手段により受信した前記第２のプロセスデータを前記プロセスデータネットワークを介して前記プラント監視制御システムに送信する第２の送信手段と
をさらに備えたことを特徴とする請求項１に記載のプロセスデータ通信装置。
【請求項３】
プラント監視制御システムにプロセスデータネットワークを介して接続されるとともに、他のプラント監視制御システムで使用されるプロセスデータが伝送されてくるデータ伝送路に接続されたプロセスデータ通信装置であって、
前記データ伝送路を介して前記他のプラント監視制御システムで使用されるプロセスデータを受信する受信手段と、
前記受信手段により受信した前記プロセスデータを前記プロセスデータネットワークを介して送信する送信手段と
を備えたことを特徴とするプロセスデータ通信装置。
【請求項４】
プラント監視制御システムで使用するプロセスデータを他のプラント監視制御システムに向けて送出する第１のプロセスデータ通信装置と、前記プロセスデータを伝送するためのデータ伝送路を介して前記第１のプロセスデータ通信装置に接続され、第１のプロセスデータ通信装置からの前記プロセスデータを受信する第２のプロセスデータ通信装置とを備え、
前記第１のプロセスデータ通信装置は、
前記プロセスデータの収集を行うプロセスデータ収集装置に第１のプロセスデータネットワークを介して接続されて、前記プロセスデータ収集装置からプロセスデータを受信する第１の受信手段と、
前記第１の受信手段により受信した前記プロセスデータを前記データ伝送路を介して送信する第１の送信手段と
を備え、
前記第２のプロセスデータ通信装置は、
前記第１のプロセスデータ通信装置の前記第１の送信手段によって送信された前記プロセスデータを前記データ伝送路を介して受信する第２の受信手段と、
前記他のプラント監視制御システムに第２のプロセスデータネットワークを介して接続されて、前記第２の受信手段により受信した前記プロセスデータを前記第２のプロセスデータネットワークを介して前記他のプラント監視制御システムに対して送信する第２の送信手段と
を備えたことを特徴とするプロセスデータ通信システム。
【請求項５】
プラント監視制御システムで使用するプロセスデータをデータ伝送路を介して他のプラント監視制御システムに向けて伝送するプロセスデータ通信方法であって、
前記プロセスデータの収集を行うプロセスデータ収集装置から、第１のプロセスデータネットワークを介して、前記プロセスデータを受信する第１の受信ステップと、
前記第１の受信ステップにより受信した前記プロセスデータを前記データ伝送路を介して送信する第１の送信ステップと、
前記第１の送信ステップによって送信された前記プロセスデータを前記データ伝送路を介して受信する第２の受信ステップと、
前記第２の受信ステップにより受信した前記プロセスデータを第２のプロセスデータネットワークを介して前記他のプラント監視制御システムに対して送信する第２の送信ステップと
を備えたことを特徴とするプロセスデータ通信方法。
【発明の詳細な説明】
【技術分野】
【０００１】
この発明はプロセスデータ通信装置、プロセスデータ通信システム、および、プロセスデータ通信方法に関し、特に、プラント監視制御システムにおける設備の計測値や機器状態・機器警報等のプロセスデータをプラント監視制御システム間で伝送するためのプロセスデータ通信装置、プロセスデータ通信システム、および、プロセスデータ通信方法に関するものである。
【背景技術】
【０００２】
図６は、従来のプロセスデータ伝送方式を示した図である。図６において、１１，２１はプロセスデータ、１２，２２はプロセスデータを収集するためのプロセスデータ収集装置、１３，２３は、プロセスデータの保存を行い、後述のプラント監視制御システムに送出するプロセスデータネットワーク、１４，２４はプロセスデータを使用してプラントの監視・制御を行うプラント監視制御システム、４０はプラント監視制御システム１４，２４間のデータ伝送を行うデータ伝送路（ローカルエリアネットワーク；ＬＡＮ）である。
【０００３】
図６に示す従来のプロセスデータ伝送方式においては、プラント監視制御システム２４が他のプラント監視制御システム１４が収集しているプロセスデータ１１を取込むには、プラント監視制御システム２４とプラント監視制御システム１４との間で通信データ項目や通信手順方式を取り決めてプロセスデータ伝送通信処理を構築して、データ伝送路４０を介して、プラント監視制御システム１４，２４で構築したプロセスデータ伝送通信処理を動作させる事で実現している。
【０００４】
図７は、特許文献１に記載された他の従来例を示した図である。図７に示す他の従来例においては、通信方式の異なる各種の通信回線を用いてプロセスデータを伝送している。当該従来例においては、図７に示すように、プラントＰＬＴを監視する監視ステーションＯＰＳ１００とフィールド機器４００との間は、ＲＳ−２３２−Ｃまたはイーサネット（登録商標）等のフィールド機器通信バス５００で接続され、一方、監視ステーションＯＰＳ１００と監視ステーションＯＰＳ１００の制御の下でプラントＰＬＴを制御する制御ステーションＦＣＳ６００との間は、ＬＡＮ３００で接続されており、フィールド機器通信バス５００とＬＡＮ３００はそれぞれ異なる通信方式となっている。そのため、監視ステーションＯＰＳ１００が、プラントＰＬＴのプロセスデータを得たいときには、これらの通信方式の違いを意識してアクセスを行う必要がある。
【０００５】
そのため、アクセス処理が非効率になるため、これを解決する手段として、監視ステーションＯＰＳ１００内に変換部１０４を設け、対応データ格納手段１１１に、アプリケーション実行手段１０１、制御ステーションＦＣＳ６００およびフィールド機器４００の間で通信を行うときのアドレス変換テーブルを格納しておき、変換手段１１２により、通信で送られてきたアドレスを対応データ格納手段１１１に格納されたアドレス変換テーブルを用いてアドレス変換し、配分切替手段１１３により、変換したアドレスをアプリケーション実行手段１０１、制御ステーションＦＣＳ６００およびフィールド機器４００に振り分ける。
【０００６】
図７の従来例では、このようにして、監視ステーションＯＰＳ１００に接続された各種通信回線相互間におけるアドレス変換を当該変換部１０４で統括して行うことにより、各種の通信回線を介してプロセスデータにアクセスする処理の効率を向上させている。また、他の監視ステーションＯＰＳ２００がフィールド機器４００等にアクセスする場合には、監視ステーションＯＰＳ１００を介して、監視ステーションＯＰＳ１００の変換部１０４により上記と同じ処理によりアドレス変換を行い、変換したアドレスを識別子としてフィールド機器４００のプロセスデータにアクセスする。
【先行技術文献】
【特許文献】
【０００７】
【特許文献１】特開平１０−６５７２６号公報
【発明の概要】
【発明が解決しようとする課題】
【０００８】
図６に示す従来のプロセスデータ伝送方式は、以上のように構成されているので、プラント設備を監視するプラント監視制御システムと他のプラント監視制御システムとの間で、直接、プロセスデータを受け渡しているため、当該受け渡しのために動作させるプロセスデータ伝送通信処理を、プロセスデータの送出側と取込み側の双方のプラント監視制御システムで互いに構築しなければならず、構築の際には、メインの作業であるプラント監視制御処理を中断して、設定しなければならない場合もあり、また、プラント監視制御システムは一般に複雑な構成を有しているため、プロセスデータ伝送通信処理の設定の作業もかなりの手間がかかり、大がかりな作業になるという問題点があった。
【０００９】
また、図６に示す従来のプロセスデータ伝送方式は、他のプラント監視制御システムで取込むプロセスデータ項目の追加／変更／削除などが発生した場合はプロセスデータの送出側と取込み側の双方のプラント監視制御システム内のプロセスデータ伝送通信処理をプロセスデータ項目の追加／変更／削除に合わせて変更することが必要となる。従って、図６に示す従来のプロセスデータ伝送方式においては、プロセスデータ伝送通信処理の変更が発生する都度に、相手方のプラント監視制御システムのプロセスデータ伝送通信処理を変更しなければならないという問題点もあった。変更の際には、メインの作業であるプラント監視制御処理を中断して、設定しなければならない場合もあり、また、プラント監視制御システムは一般に複雑な構成を有しているため、プロセスデータ伝送通信処理の変更の作業もかなりの手間がかかり、大がかりな作業になるという問題点があった。
【００１０】
また、図７に示す他の従来例においては、他の監視ステーションＯＰＳ２００が、監視ステーションＯＰＳ１００に接続されているフィールド機器４００にアクセスする場合には、監視ステーションＯＰＳ１００を介して、監視ステーションＯＰＳ１００の変換部１０４によりアドレス変換を行い、変換したアドレスを識別子としてフィールド機器４００のプロセスデータにアクセスするため、アクセスの度にアドレスを毎回変換しなければならず、負荷がかかるとともに、監視ステーションＯＰＳ１００，２００の構成が複雑になるという問題点があった。
【００１１】
この発明は、かかる問題点を解決するためになされたものであり、プラント監視制御システム間で伝送するプロセスデータ項目の追加／変更／削除などが発生しても、プロセス監視制御システムにおいて設定を特に変更する必要もなく、かつ、プラント監視制御システムの構成も複雑にすることなく、プロセスデータを伝送することが可能な、プロセスデータ通信装置、プロセスデータ通信システム、および、プロセスデータ通信方法を提供することを目的とする。
【課題を解決するための手段】
【００１２】
この発明は、プラント監視制御システムで使用するプロセスデータの収集を行うプロセスデータ収集装置にプロセスデータネットワークを介して接続されるとともに、他のプラント監視制御システムに向けて前記プロセスデータを伝送するためのデータ伝送路に接続されたプロセスデータ通信装置であって、前記プロセスデータ収集装置から前記プロセスデータネットワークを介して前記プロセスデータを受信する受信手段と、前記受信手段により受信した前記プロセスデータを前記データ伝送路を介して送信する送信手段とを備えたことを特徴とするプロセスデータ通信装置である。
【発明の効果】
【００１３】
この発明は、プラント監視制御システムで使用するプロセスデータの収集を行うプロセスデータ収集装置にプロセスデータネットワークを介して接続されるとともに、他のプラント監視制御システムに向けて前記プロセスデータを伝送するためのデータ伝送路に接続されたプロセスデータ通信装置であって、前記プロセスデータ収集装置から前記プロセスデータネットワークを介して前記プロセスデータを受信する受信手段と、前記受信手段により受信した前記プロセスデータを前記データ伝送路を介して送信する送信手段とを備えたことを特徴とするプロセスデータ通信装置であるので、プラント監視制御システム間で伝送するプロセスデータ項目の追加／変更／削除などが発生しても、プロセス監視制御システムにおいて設定を特に変更する必要もなく、かつ、プラント監視制御システムの構成も複雑にすることなく、プロセスデータを伝送することができる。
【図面の簡単な説明】
【００１４】
【図１】この発明の実施の形態１に係るプロセスデータ通信システムの概要構成図である。
【図２】この発明の実施の形態１に係るプロセスデータ通信システムの動作を説明するための図である。
【図３】この発明の実施の形態２に係るプロセスデータ通信システムの概要構成図である。
【図４】この発明の実施の形態５に係るプロセスデータ通信システムの概要構成図である。
【図５】この発明の実施の形態７に係るプロセスデータ通信システムの概要構成図である。
【図６】従来のプロセスデータ伝送システムの概要構成図である。
【図７】他の従来のプロセスデータ伝送システムの概要構成図である。
【発明を実施するための形態】
【００１５】
実施の形態１．
以下、この発明の実施の形態１に係るプロセスデータ通信装置およびそれを用いたプロセスデータ通信システムを図１および図２に基づいて説明する。図１は、この発明の実施の形態１に係るプロセスデータ通信装置およびそれが接続されたネットワークの構成を示す概要構成図であり、図２は、プロセスデータ通信装置等の内部構成を示し、それらの動作を説明するための概略構成図である。なお、本明細書においては、「プロセスデータ通信システム」とは、２以上のプロセスデータ通信装置を含み、それらの間でプロセスデータを伝送するためのシステムを意味する。
【００１６】
図１において、１１，２１はプロセスデータである。プロセスデータ１１，２１は、プラント設備の状態を示すデータのことで、例えば、プラント設備に設けられている各種計測機器で計測した計測値のデータや、プラント設備に設けられている各種機器の状態を示す動作信号や、各種機器からの警報信号等が含まれる。なお、言うまでもなく、プロセスデータ１１は、後述するプラント監視制御システム１４で監視・制御する第１のプラント設備（図示省略）のデータであり、プロセスデータ２１は、後述するプラント監視制御システム２４で監視・制御する第２のプラント設備（図示省略）のデータであって、プロセスデータ１１とプロセスデータ２１とは異なるプラント設備に関するものである。また、図１において、１２，２２は、プロセスデータ１１，２１を収集して、後述するプロセスデータネットワーク１３，２３に送出するプロセスデータ収集装置、１３，２３は、プロセスデータを保存し、自身に接続されている装置（後述するプラント監視制御システム１４，２４およびプロセスデータ通信装置１０）にプロセスデータを配信するプロセスデータネットワーク、１０，２０は後述するデータ伝送路４０を介してプロセスデータ１１をプロセスデータネットワーク１３，２３間で伝送するためのプロセスデータ通信装置、１４，２４はプロセスデータを取り込み使用してプラント設備の監視・制御を行うプラント監視制御システム、４０はデータ伝送路である。データ伝送路は、例えば、ローカルエリアネットワーク（ＬＡＮ）から構成される。
【００１７】
なお、符号１０，１２〜１４および２０，２２〜２４で示されるこれらの構成は、専用装置（その機能を有するように製造された装置）であってもよく、あるいは、計算機またはパソコンから構成されてもよい。また、使用される、専用装置、計算機、パソコン等は、その機種を限定されることはない。
【００１８】
図２において、１２ａはプロセスデータ１１をプラント設備から収集するプロセスデータ収集処理部、１２ｂは、プロセスデータ収集処理部１２ａで収集したプロセスデータをプロセスデータネットワーク１３に送出するプロセスデータネットワーク送信処理部である。プロセスデータ収集処理部１２ａおよびプロセスデータネットワーク送信処理部１２ｂは、プロセスデータ収集装置１２内に設けられている。
【００１９】
また、図２において、１０ａは、プロセスデータネットワーク１３からプロセスデータ１１を取込むプロセスデータネットワーク受信処理部、１０ｂは、プロセスデータネットワーク受信処理部１０ａで取込んだプロセスデータをデータ伝送路４０を介して送信するプロセスデータＬＡＮ送信処理部である。プロセスデータネットワーク受信処理部１０ａおよびプロセスデータＬＡＮ送信処理部１０ｂは、プロセスデータ通信装置１０内に設けられている。
【００２０】
また、図２において、２０ｃは、データ伝送路４０からプロセスデータ１１を取込むプロセスデータＬＡＮ受信処理部、２０ｄは、プロセスデータＬＡＮ受信処理部２０ａで取込んだプロセスデータ１１をプロセスデータネットワーク２３に送出するプロセスデータネットワーク送信処理部である。プロセスデータＬＡＮ受信処理部２０ｃおよびプロセスデータネットワーク送信処理部２０ｄは、プロセスデータ通信装置２０内に設けられている。
【００２１】
なお、図２において、図１と同一のものについては同一符号により示し、ここではその説明は省略する。
【００２２】
次に、この発明の実施の形態１に係るプロセスデータ通信装置およびプロセスデータ通信システムの動作について説明する。図２において、プラント設備から入力されるプロセスデータ１１は、プロセスデータ収集装置１２のプロセスデータ収集処理部１２ａで予め設定された一定周期（第１の周期）で全データを収集され、プロセスデータネットワーク送信処理部１２ｂにより、プロセスデータネットワーク１３に予め設定された一定周期（第２の周期）で送出される。プロセスデータネットワーク１３は、プロセスデータ収集装置１２から送出されたプロセスデータ１１を記憶する。プロセスデータ通信装置１０は、プロセスデータネットワーク受信処理部１０ａにより、プロセスデータネットワーク１３に保存されたプロセスデータ１１の中から、必要なデータ（全部または予め設定された範囲のプロセスデータ１１）を取込み、プロセスデータＬＡＮ送信処理部１０ｂによって、相手側のプロセスデータ通信装置２０のアドレスを指定して、データ伝送路４０を介して、プロセスデータ通信装置２０に送信する。プロセスデータ通信装置２０は、プロセスデータ通信装置１０から送信されたプロセスデータ１１を、プロセスデータＬＡＮ受信処理部２０ｃにより受信し、プロセスデータネットワーク送信処理部２０ｄにより、プロセスデータネットワーク２３に予め設定された一定周期（第３の周期）で送出する。プロセスデータネットワーク２３は、プロセスデータ通信装置２０から送出されたプロセスデータ１１を記憶する。プラント監視制御システム２４は、プロセスデータネットワーク２３に記憶されたプロセスデータ１１の中から、必要なデータ（全部または予め設定された範囲のプロセスデータ１１）を、予め設定された一定周期（第４の周期）または任意のタイミングで取込む。
【００２３】
なお、上記のプロセスデータ受け渡しの動作は、取り込み側のプロセスデータ通信装置２０から要求があった場合にのみ行ってもよく、あるいは、通常の処理として常時行うようにしてもよい。
【００２４】
このように、本実施の形態においては、プロセスデータ１１を使用するプラント監視制御システム１４に接続されたプロセスデータネットワーク１３と、プロセスデータ１１を取込むプラント監視制御システム２４に接続されたプロセスデータネットワーク２３との間に、プロセスデータ通信装置１０および２０を介在させるように構成したので、プロセスデータ送出側のプラント監視制御システム１４およびプロセスデータ取り込み側のプラント監視制御システム２４において、プロセスデータ受け渡しのために動作させるプロセスデータ伝送通信処理を構築する等の必要がない。また、プロセスデータ送出側のプラント監視制御システム１４において、プロセスデータ項目の変更等が発生しても、プロセスデータ取込み側のプラント監視制御システムで、設定の変更を行う等の必要がない。従来においては、図６を用いて上述したように、プラント監視制御システム１４，２４間で直接にプロセスデータ伝送を行なっていたため、プロセスデータ項目や通信手順等を取り決めて構築する双方のプロセスデータ伝送通信処理を必要としており、プロセスデータ項目の変更等により、一方のプロセスデータ伝送通信処理の内容が変更された場合、他方においても、それに合わせて、プロセスデータ伝送通信処理の設定を変更しなければならかった。これは、プラント監視制御システム１４，２４が、プロセスデータ伝送専用に構成されたものではないため、プロセスデータを受信して処理するためには、双方間でこのようなプロセスデータ伝送通信処理の構築および変更が必要であった。しかしながら、本実施の形態においては、アドレスだけを指定して単にプロセスデータを伝送するだけの伝送専用機能だけを有するプロセスデータ通信装置１０，２０を介してプロセスデータを伝送するようにしたので、双方間でプロセスデータ伝送通信処理を構築する必要は一切なく、たとえ、一方のプラント監視制御システムにおいてプロセスデータ伝送通信処理の内容の変更が発生しても、他方のプラント監視制御システムでは、それに合わせたプロセスデータ伝送通信処理の変更を行う必要がない。そのため、本実施の形態においては、保守性および信頼性の高い、プロセスデータ通信装置およびプロセスデータ伝送方式を得ることができる。
【００２５】
以上のように、本実施の形態によれば、プラント監視制御システム間で伝送するプロセスデータ項目の追加／変更／削除などが発生しても、プロセス監視制御システムにおいて設定を特に変更する必要もなく、また、プラント監視制御システムにおいてはプロセスデータ伝送のための構成を必要としないので、プラント監視制御に必要な構成のみでよく、プラント監視制御システムの構成を特に複雑にすることなく、プロセスデータを伝送することができる。
【００２６】
実施の形態２．
上記の実施の形態１では、図１に示すように、プロセスデータ１１を取込む側の他のプラント監視制御システムが１台の接続構成として説明したが、その場合に限らず、図３に示すように、プロセスデータを取込むプラント監視制御システムは２台以上の任意の台数でもよい。なお、図３においては、図の簡略化のために、プロセスデータ１１を取込む側のプラント監視制御システムが、プラント監視制御システム２４，３４の２台だけ記載されているが、同様の接続構成により、３台、４台、・・・というように、任意の台数を設けて良いことは言うまでもない。
【００２７】
図３において、３１はプロセスデータ、３２は、プロセスデータ３１を収集して、後述するプロセスデータネットワーク３３に送出するプロセスデータ収集装置、３３は、プロセスデータを保存し、自身に接続されている装置（後述するプラント監視制御システム３４およびプロセスデータ通信装置３０）にプロセスデータを配信するプロセスデータネットワーク、３０はデータ伝送路４０を介してプロセスデータ１１をプロセスデータネットワーク１３，３３間で伝送するプロセスデータ通信装置、３４はプロセスデータ１１，３１を取り込み使用してプラント設備の監視・制御を行うプラント監視制御システムである。
【００２８】
また、プロセスデータ通信装置３０の内部の構成は、図２に示したプロセスデータ通信装置２０と全く同じで、内部に、プロセスデータＬＡＮ受信処理部とプロセスデータネットワーク送信処理部とが設けられている。
【００２９】
また、プラント監視制御システム３４がプロセスデータ１１を取り込む動作は、実施の形態１で示したプラント監視制御システム２４がプロセスデータ１１を取り込む動作と全く同じである。すなわち、図３において、プラント設備から入力されるプロセスデータ１１は、プロセスデータ収集装置１２のプロセスデータ収集処理部１２ａで予め設定された一定周期（第１の周期）で全データを収集され、プロセスデータネットワーク送信処理部１２ｂにより、プロセスデータネットワーク１３に予め設定された一定周期（第２の周期）で送出される。プロセスデータネットワーク１３は、プロセスデータ収集装置１２から送出されたプロセスデータ１１を記憶する。プロセスデータ通信装置１０は、プロセスデータネットワーク受信処理部１０ａにより、プロセスデータネットワーク１３に保存されたプロセスデータ１１の中から、必要なデータ（全部または予め設定された範囲のプロセスデータ１１）を取込み、プロセスデータＬＡＮ送信処理部１０ｂによって、相手側のプロセスデータ通信装置３０のアドレスを指定して、データ伝送路４０を介して、プロセスデータ通信装置３０に送信する。プロセスデータ通信装置３０は、プロセスデータ通信装置１０から送信されたプロセスデータ１１を、プロセスデータＬＡＮ受信処理部（図示省略、図２の２０ｃ参照）により受信し、プロセスデータネットワーク送信処理部（図示省略、図２の２０ｄ参照）により、プロセスデータネットワーク３３に予め設定された一定周期（第５の周期）で送出する。プロセスデータネットワーク３３は、プロセスデータ通信装置３０から送出されたプロセスデータ１１を記憶する。プラント監視制御システム３４は、プロセスデータネットワーク３３に記憶されたプロセスデータ１１の中から、必要なデータ（全部または予め設定された範囲のプロセスデータ１１）を、予め設定された一定周期（第６の周期）または任意のタイミングで取込む。
【００３０】
以上のように、本実施の形態においては、図３に示すように、プロセスデータ１１を取込むプラント監視制御システムを２台以上設けた場合について説明したが、この場合においても、上述の実施の形態１と同様の効果が得られる。
【００３１】
実施の形態３．
上記の実施の形態１，２では、図２に示すように、プロセスデータ通信装置１０が、プロセスデータネットワーク受信処理部１０ａとプロセスデータＬＡＮ送信処理部１０ｂを有し、プロセスデータ通信装置２０，３０が、それぞれ、プロセスデータＬＡＮ受信処理部およびプロセスデータネットワーク送信処理部を有する構成にしたが、本実施の形態においては、プロセスデータ通信装置１０，２０，３０をそれぞれＰＬＣ（プログラマブルロジックコントローラ）で構成する。ＰＬＣをプロセスデータ通信装置として使用することで、プロセスデータ通信装置を容易に構築でき、信頼性と経済性に優れたプロセスデータ通信装置を得ることができる。
【００３２】
以上のように、本実施の形態においては、上記の実施の形態１，２と同様の効果が得られるとともに、さらに、本実施の形態においては、ＰＬＣをプロセスデータ通信装置として使用するようにしたので、プロセスデータ通信装置を容易に構築でき、信頼性と経済性に優れたプロセスデータ通信装置を得ることができる。
【００３３】
実施の形態４．
上記の実施の形態１〜３では、プラント監視制御システム間のプロセスデータ伝送の動作について述べたが、本実施の形態においては、プラント監視制御システムを増設する場合について説明する。
【００３４】
いま、例えば、図１に示すように、プラント監視制御システム１４で使用するプロセスデータ１１を取り込む側の他のプラント監視制御システムとして、プラント監視制御システム２４の１台のみがデータ伝送路４０に接続されていたとする。このとき、図３に示すように、プロセスデータ１１を取り込む側の他のプラント監視制御システムとして、プラント監視制御システム３４を増設して、それをデータ伝送路４０に接続する場合を考える。プラント監視制御システム３４の増設に伴い、当然に、図３に示すように、それに接続される、プロセスデータネットワーク３３、プロセスデータ通信装置３０、および、プロセスデータ収集装置３２も増設される。プロセスデータネットワーク３３，プロセスデータ通信装置３０，プロセスデータ収集装置３２，プロセスデータ３１は、それぞれ、プロセスデータネットワーク２３，プロセスデータ通信装置２０，プロセスデータ収集装置２２，プロセスデータ２１に相当しており、同様の構成を有している。なお、言うまでもなく、プラント監視制御システム３４は、第３のプラント設備（図示省略）を監視・制御するためのもので、第３のプラント設備に関するプロセスデータ３１を当該監視・制御に使用しているが、必要に応じて、プロセスデータ１１も取り込んで使用する。
【００３５】
本実施の形態においては、上述の実施の形態１と同様に、図１および図２に示すように、プロセスデータ通信装置１０，２０，３０を、プラント監視制御システム１４，２４，３４に接続されたプロセスデータネットワーク１３，２３，３３の間に介在させたプロセスデータ伝送方式としたので、プロセスデータ１１を取込むプラント監視制御システム３４を増設する場合も、プロセスデータ１１の伝送のためのプロセスデータ伝送通信処理を、プロセスデータ送出側のプラント監視制御システム１４と増設されたプロセスデータ取込み側のプラント監視制御システム３４間で新規に構築する必要がなく、プラント監視制御システムの追加が容易にかつ効率的に実施できる。
【００３６】
また、上述のように、プラント監視制御システム１４，２４，３４は直接の通信接続としておらず、プロセスデータ通信装置１０，２０，３０を介在させているので、プラント監視制御システム１４，２４または３４のいずれかで改造または撤去が発生した場合にも、プロセスデータ通信装置１０，２０，３０において必要に応じてアドレスの変更または削除を行うだけでよく、他のプラント監視制御システム側では当該改造または撤去に伴うプロセスデータ伝送通信処理の変更等は一切不要とすることができる。
【００３７】
以上のように、本実施の形態においては、上記の実施の形態１〜３と同様の効果が得られ、プロセスデータ１１を取り込むプラント監視制御システム３４を増設しても、プロセスデータ１１は各プロセスデータ通信装置１０，２０，３０間で伝送されるため、各プロセスデータ通信装置１０，２０に、増設されたプロセスデータ通信装置３０のアドレスを単に追加するだけでよく、プロセスデータ１１の送出側のプラント監視制御システム１４および他のプロセスデータ１１の取り込み側のプラント監視制御システム２４においては、当該プラント監視制御システム３４の増設に伴うプロセスデータ伝送通信処理の内容の変更などは一切必要ないので、増設時の手間がかからず、高効率性・経済性・利便性に優れている。
【００３８】
実施の形態５．
上記の実施の形態１〜４では、プロセスデータの一方向の伝送機能を持つプロセスデータ通信装置について述べたが、本実施の形態においては、図４に示すように、プロセスデータの双方向の伝送機能を持つプロセスデータ通信装置について説明する。
【００３９】
上記の実施の形態１〜４では、プロセスデータの伝送方向が一方向、すなわち、プロセスデータ１１が、プロセスデータ通信装置１０から、データ伝送路４０を介して、他のプロセスデータ通信装置２０や３０へ伝送される場合について説明した。本実施の形態においては、プロセスデータの伝送方向が双方向、すなわち、各プロセスデータ１１，２１，３１が、データ伝送路４０を介して、各プロセスデータ通信装置１０，２０，３０間で相互に伝送（送出および取得）される場合について説明する。
【００４０】
本実施の形態に係るプロセスデータ通信装置の構成について、図４を用いて説明する。図４においては、図の簡略化のため、プラント監視制御システム２台分の構成のみを示しているが、実際には、２台以上あってもよく、その場合も、それぞれ互いに同一の構成を有していることは言うまでもない。
【００４１】
図４に示すように、本実施の形態においては、プロセスデータ通信装置１０内に、図２で示したプロセスデータネットワーク受信処理部１０ａおよびプロセスデータＬＡＮ送信処理部１０ｂに加えて、さらに、プロセスデータＬＡＮ受信処理部１０ｃおよびプロセスデータネットワーク送信処理部１０ｄが設けられている。プロセスデータＬＡＮ受信処理部１０ｃおよびプロセスデータネットワーク送信処理部１０ｄは、図２に示した上述のプロセスデータ通信装置２０内のプロセスデータＬＡＮ受信処理部２０ｃおよびプロセスデータネットワーク送信処理部２０ｄにそれぞれ相当する機能を有している。また、プロセスデータ通信装置２０内には、図２に示したプロセスデータＬＡＮ受信処理部２０ｃおよびプロセスデータネットワーク送信処理部２０ｄに加えて、さらに、プロセスデータネットワーク受信処理部２０ａおよびプロセスデータＬＡＮ送信処理部２０ｂが設けられている。プロセスデータネットワーク受信処理部２０ａおよびプロセスデータＬＡＮ送信処理部２０ｂは、図２に示した上述のプロセスデータ通信装置１０内のプロセスデータネットワーク受信処理部１０ａおよびプロセスデータＬＡＮ送信処理部１０ｂにそれぞれ相当する機能を有している。他の構成については、実施の形態１〜４と同じであるため、ここではその説明を省略する。
【００４２】
次に、この発明の実施の形態５に係るプロセスデータ通信装置の動作について説明する。まず、はじめに、プロセス監視制御システム１４で使用されるプロセスデータ１１が、プロセス監視制御システム２４に取り込まれる場合について説明する。図４において、プラント設備から入力されるプロセスデータ１１は、プロセスデータ収集装置１２のプロセスデータ収集処理部１２ａで一定周期に全データを収集され、プロセスデータネットワーク送信処理部１２ｂにより、プロセスデータネットワーク１３に一定周期で送出される。プロセスデータネットワーク１３は、プロセスデータ収集装置１２から送出されたプロセスデータ１１を記憶する。プロセスデータ通信装置１０は、プロセスデータネットワーク受信処理部１０ａにより、プロセスデータネットワーク１３に保存されたプロセスデータ１１の中から、必要なデータ（全部または予め設定された範囲のプロセスデータ１１）を取込み、プロセスデータＬＡＮ送信処理部１０ｂによって、データ伝送路４０を介して、プロセスデータ通信装置２０に送信する。プロセスデータ通信装置２０は、プロセスデータ通信装置１０から送信されたプロセスデータ１１を、プロセスデータＬＡＮ受信処理部２０ｃにより受信し、プロセスデータネットワーク送信処理部２０ｄにより、プロセスデータネットワーク２３に一定周期で送出する。プロセスデータネットワーク２３は、プロセルデータ通信装置２０から送出されたプロセスデータ１１を記憶する。プラント監視制御システム２４は、プロセスデータネットワーク２３に記憶されたプロセスデータ１１の中から、必要なデータ（全部または予め設定された範囲のプロセスデータ１１）を、一定周期または任意のタイミングで取込む。
【００４３】
次に、逆の伝送方向の場合について説明する。すなわち、プロセス監視制御システム２４で使用されるプロセスデータ２１が、プロセス監視制御システム１４に取り込まれる場合について説明する。図４において、プラント設備から入力されるプロセスデータ２１は、プロセスデータ収集装置２２のプロセスデータ収集処理部２２ａで一定周期に全データを収集され、プロセスデータネットワーク送信処理部２２ｂにより、プロセスデータネットワーク２３に一定周期で送出される。プロセスデータネットワーク２３は、プロセスデータ収集装置２２から送出されたプロセスデータ２１を記憶する。プロセスデータ通信装置２０は、プロセスデータネットワーク受信処理部２０ａにより、プロセスデータネットワーク２３に保存されたプロセスデータ２１の中から、必要なデータ（全部または予め設定された範囲のプロセスデータ２１）を取込み、プロセスデータＬＡＮ送信処理部２０ｂによって、データ伝送路４０を介して、プロセスデータ通信装置１０に送信する。プロセスデータ通信装置１０は、プロセスデータ通信装置２０から送信されたプロセスデータ２１を、プロセスデータＬＡＮ受信処理部１０ｃにより受信し、プロセスデータネットワーク送信処理部１０ｄにより、プロセスデータネットワーク１３に一定周期で送出する。プロセスデータネットワーク１３は、プロセルデータ通信装置１０から送出されたプロセスデータ２１を記憶する。プラント監視制御システム１４は、プロセスデータネットワーク１３に記憶されたプロセスデータ２１の中から、必要なデータ（全部または予め設定された範囲のプロセスデータ２１）を、一定周期または任意のタイミングで取込む。
【００４４】
以上のように、本実施の形態においては、上記の実施の形態１〜４と同様の効果が得られるとともに、さらに、プロセスデータの相互伝送が可能となったため、さらに、利便性が向上している。
【００４５】
実施の形態６．
なお、上記の実施形態１〜５では、プロセスデータ通信装置間を接続するデータ伝送路はＬＡＮとしているが、ＬＡＮではなく、モデム通信や専用回線など他の通信方式であってもよい。
【００４６】
実施の形態７．
なお、上記の実施形態１〜６では、プロセスデータ通信装置間を接続するデータ伝送路は、プラント監視制御システム間を接続するデータ伝送路４０を共用しているが、図５に示すように、プロセスデータ通信装置間を接続する専用伝送路５０であってもよい。専用伝送路５０は、ＬＡＮやモデム通信などいずれの通信方式を用いても良い。
【００４７】
実施の形態８．
なお、上記の実施形態１〜７において、プロセスデータ通信装置間を接続するデータ伝送路は、遠隔地に設置されたプラント監視制御システム間でプロセスデータを伝送できるようにするために、例えば、インターネット等の遠距離間を接続できるデータ伝送路であってもよい。その場合には、第三者に傍受される恐れがあるため、必要に応じて、伝送するプロセスデータを送信側で暗号化して送信し、受信側でそれを復号するようにしてもよい。
【符号の説明】
【００４８】
１０，２０，３０  プロセスデータ通信装置、１０ａ，２０ａ  プロセスデータネットワーク受信処理部、１０ｂ，２０ｂ  プロセスデータＬＡＮ送信処理部、１０ｃ，２０ｃ  プロセスデータＬＡＮ受信処理部、１０ｄ，２０ｄ  プロセスデータネットワーク送信処理部、１１，２１，３１  プロセスデータ、１２，２２，３２  プロセスデータ収集装置、１２ａ，２２ａ  プロセスデータ収集処理部、１２ｂ，２２ｂ  プロセスデータネットワーク送信処理部、１３，２３，３３  プロセスデータネットワーク、１４，２４，３４  プラント監視制御システム、４０  データ伝送路、５０  専用伝送路。
【図１】
2013105427.tif 000003
【図２】
2013105427.tif 000004
【図３】
2013105427.tif 000005
【図４】
2013105427.tif 000006
【図５】
2013105427.tif 000007
【図６】
2013105427.tif 000008
【図７】
2013105427.tif 000009